(57)【要約】少なくとも第１のチャネルによる伝送に関する第１のスケジュールされたデータ（ＤＡＴＡ２、ＤＡＴＡ３）を受信する第１の装置（ＣＭ＿ＳＣＨＤＲ）と、第１のチャネルに関して各閉ループ電力制御信号（ＴＣＰ＿ＣＭＤ）に応答可能な電力制御装置（ＰＷＲ＿ＣＴＲＬ）と、少なくとも第２のチャネルにおける実際の電力レベル（Ｐ＿Ｈ（ｔ））での伝送に関してＨＳＰＤＡデータ等の第２のデータパケット（ＤＡＴＡ１）をスケジューリングするパケットデータスケジューラ（ＨＳ＿ＳＣＨＤＲ）と、第１のスケジュールされたデータ及び第２のスケジュールされたデータを増幅して出力する電力増幅器（ＰＯＷＥＲ＿ＡＭＰ）とを含む送信装置。出力された第１のチャネル及び第２のチャネルが相互に干渉を受ける。尚、電力制御装置の下、少なくとも送信電力レートの変化は、単位時間当たり所定の値に制限される。可能な電力（Ｐ＿ＰＯＳ（ｔ））は、ある時点において、先行する時点における実際の電力（Ｐ＿ＨＳ（ｔ−１））又は先行する時点において決定された可能な電力（Ｐ＿ＰＯＳ（ｔ−１））のうちの最大値から所定の値（ｄ）を減算した値として決定される。更に、ある時刻において、許可電力（Ｐ＿ＰＥＲＭ（ｔ））は、先行する時点の実際の電力（Ｐ＿ＨＳ（ｔ−１））に所定の値（ｄ）を加算してなる値又は決定された可能な電力（Ｐ＿ＰＯＳ（ｔ））のうちの最大値として決定される。最後に、スケジューリングはそれらの範囲内で実行される。
2007529133.tif 000002
【特許請求の範囲】
【請求項１】
送信装置であって、
少なくとも第１のチャネルにおいて伝送するためにスケジュールされた第１のデータ（ＤＡＴＡ２、ＤＡＴＡ３）を受信する第１の装置（ＣＭ＿ＳＣＨＤＲ）と、
前記第１のチャネルに関して各閉ループ電力制御信号（ＴＣＰ＿ＣＭＤ）の下で、少なくとも送信電力の変化レートが単位時間あたり所定値以下に制限されるよう該閉ループ電力制御信号に応じて動作する電力制御装置（ＰＷＲ＿ＣＴＲＬ）と、
少なくとも第２のチャネルにおいて、電力レベル（Ｐ＿Ｈ（ｔ））で実際に伝送されるよう第２のデータ（ＤＡＴＡ１）をスケジュールするパケットデータスケジューラ（ＨＳ＿ＳＣＨＤＲ）と、
スケジュールされた前記第１のデータ及び前記第２のデータを増幅して出力する電力増幅器（ＰＯＷＥＲ＿ＡＭＰ）と
を含み、
スケジュールされた前記第１のデータ及び前記第２のデータは、前記第１のチャネルおよび前記第２のチャネルとして出力された後で相互に干渉を与え合うことになるものであり、
前記送信装置（ＢＳＳ）は、
高速パケットデータの各スケジュール区間ごとに、
スケジュールされた前記第１のデータ（ＤＡＴＡ２、ＤＡＴＡ３）を受信し、
所与の時点において、先行する時点における実際の電力（Ｐ＿ＨＳ（ｔ−１））と前記先行する時点において決定された可能な電力（Ｐ＿ＰＯＳ（ｔ−１））とのうちの最大値から所定の値（ｄ）を減算して得られた値を今回の可能な電力（Ｐ＿ＰＯＳ（ｔ））として決定し、
所与の時点において、先行する時点における前記実際の電力（Ｐ＿ＨＳ（ｔ−１））に前記所定の値（ｄ）を加算してなる値と、決定された前記可能な電力（Ｐ＿ＰＯＳ（ｔ））とのうちの最大値を許可電力（Ｐ＿ＰＥＲＭ（ｔ））として決定する
よう前記パケットデータスケジューラを動作させることを特徴とする送信装置。
【請求項２】
高速パケットデータの各スケジュール区間ごとに、
送信対象となっている前記第２のデータ（ＤＡＴＡ１）に依存して、前記第２のデータ（ＤＡＴＡ１）の電力レベルが前記許可電力（Ｐ＿ＰＥＲＭ（ｔ））以下となるようにスケジュールするよう
前記パケットデータスケジューラを動作させることを特徴とする請求項１に記載の送信装置。
【請求項３】
高速パケットデータの各スケジュール区間ごとに、
トータルでの電力バジェットのうち、共通チャネルと専用チャネルとについてスケジュールが終わった後で高速パケットデータ伝送用に残っている残電力（Ｐ＿ＡＶＢＬ（ｔ））を決定し、
前記許可電力と前記残電力とのうちの最小値を利用可能電力（Ｐ＿ＡＶＢＬ（ｔ））として決定し、
前記トータルでの電力バジェットのうち、前記共通チャネルと前記専用チャネルとについてスケジュールが終わった後で前記高速パケットデータ伝送用に残っている残電力（Ｐ＿ＡＶＢＬ（ｔ））を決定する
よう前記パケットデータスケジューラを動作させることを特徴とする請求項１に記載の送信装置。
【請求項４】
高速パケットデータの各スケジュール区間ごとに、
送信対象となっている前記第２のデータ（ＤＡＴＡ１）に依存して、前記第２のデータ（ＤＡＴＡ１）の電力レベルが前記利用可能電力（Ｐ＿ＡＶＢＬ（ｔ））以下となるようにスケジュールする
よう前記パケットデータスケジューラを動作させることを特徴とする請求項３に記載の送信装置。
【請求項５】
前記前記第１のチャネルと前記第２のチャネルとが符号分割多元接続（ＣＤＭＡ）の符号処理を用いて符号化されていることを特徴とする請求項１ないし４のいずれかに記載された送信装置。
【請求項６】
前記第２のデータ（ＤＡＴＡ１）は、高速データレートパケット（ＨＳＤＰＡ）であることを特徴とする請求項５に記載された送信装置。
【請求項７】
相互にチャネルが干渉を与え合う状況下でデータパケットをスケジュールしてユーザエンティティへ送信する方法であって、
少なくとも第１のチャネルに関してスケジュールされた第１のデータ（ＤＡＴＡ２、ＤＡＴＡ３）を受信するステップと、
所与の時点において、先行する時点における実際の電力（Ｐ＿ＨＳ（ｔ−１））と前記先行する時点において決定された可能な電力（Ｐ＿ＰＯＳ（ｔ−１））とのうちの最大値から所定の値（ｄ）を減算して得られた値を今回の可能な電力（Ｐ＿ＰＯＳ（ｔ））として決定するステップと、
所与の時点において、先行する時点における前記実際の電力（Ｐ＿ＨＳ（ｔ−１））に前記所定の値（ｄ）を加算してなる値と、決定された前記可能な電力（Ｐ＿ＰＯＳ（ｔ））とのうちの最大値を許可電力（Ｐ＿ＰＥＲＭ（ｔ））として決定するステップと、
実際の電力（Ｐ＿ＨＳ（ｔ））が少なくとも前記許可電力（Ｐ＿ＰＥＲＭ（ｔ））以下に維持されるよう、少なくとも第２のチャネルにおいてパケットデータをスケジュールして送信するステップと
を含むことを特徴とする方法。
【発明の詳細な説明】
【技術分野】
【０００１】
本発明は、通信システム、特にＵＭＴＳ方式（Ｗ ＣＤＭＡ）等の符号分割多元接続（ＣＤＭＡ）方式における電力制御に関する。更に詳細には、本発明は、高速パケットダウンリンクパケットアクセス通信（ＨＳＰＤＡ）に関する。
【背景技術】
【０００２】
周知のように、広帯域直接拡散ＣＤＭＡ方式において、搬送波を変調するための異なる擬似ランダム２符号系列から信号が構成される。その結果、信号のスペクトルは、多数のチャネルに共通の広い周波数範囲にわたり拡散される。直接拡散符号化のために信号間の直交性が達成され、共通の周波数範囲の信号の個々の復号化が可能になる。
【０００３】
この符号化の原理は多くの利点を有する。例えば直接スペクトル拡散符号化は、マルチパスフェージングによる劣化を実質的に減少させるため、スペクトル資源を効率的に利用できる。
【０００４】
信号が周波数／時間領域において同一空間を占有するため、個々のチャネルの電力制御はＣＤＭＡ方式の重要な側面となる。
【０００５】
ＣＤＭＡ方式は、アップリンク及びダウンリンク双方に対する電力制御を採用する。電力制御の１つの目的は、信号が各移動局の位置又は伝播損失に関わらず基地局受信機において同一の電力レベルでもって受信されるよう、基地局受信機のセルサイト内で動作する各移動局送信機を制御することである。尚、電力レベルは送信データ速度に比例する。
【０００６】
セルサイト内の全ての移動局送信機がそのように制御される場合、基地局受信機における総信号電力は 公称受信電力 × 移動局数 に等しい。
【０００７】
基地局で受信された各選択信号は狭帯域デジタル情報を搬送する信号に変換されるが、選択されなかった他の信号は広帯域雑音信号を構成する。しかし、復号化処理に従って実行される帯域幅の削減により、信号対雑音比が負の値から許容ビット誤り率での動作を可能にするレベルまで増加される。
【０００８】
セル内で同時に動作できるユーザ数等のシステム全体の容量は、最小の信号対雑音比に依存する。最小の信号対雑音比によって、一定の許容しうるビット誤り率が生じる。
【０００９】
ダウンリンクにおいて、セルは、移動局の要求に応答して移動局に対する各信号のダウンリンク電力を制御することにより電力制御をサポートする。その目的は、マルチパスフェージング及び遮蔽効果による影響又は他のセルの干渉を殆ど受けない相対的にセルサイトに近接する固定の装置に対する電力を減少させることである。それにより、全体の雑音レベルが減少することとなるため、より困難な環境にある移動局が利益を得ることになる。
【００１０】
ＵＭＴＳと呼ばれることもある第３世代移動通信システムに対する現在の第３世代パートナーシッププロジェクト（３ＧＰＰ）の仕様は、種々のユーザに対して種々のユーザデータ速度をサポートする。特定のユーザエンティティに対する送信ダウンリンク電力は、実際のセルにおける干渉レベル、一般に用いられるチャネルの品質、ユーザデータ速度及びデータ伝送に対して要求されるサービスの品質により決定される。
【００１１】
ＵＭＴＳ方式において、伝送に使用される基本的な種類の物理チャネルが２つ存在する。それは、専用チャネル及び共通チャネルである。同時に１人のユーザのみが専用チャネルを使用でき、多くのユーザが共通チャネルを共用できる。
【００１２】
通常、特定のユーザエンティティに対するダウンリンク干渉は、他のユーザエンティティ（他の直交チャネルにおける）宛ての相対的に低い電力の信号が届いてしまうことが原因である。干渉は、ソフトハンドオーバに関与する当該基地局又はその他の基地局だけでなく、隣接する基地局から生じることとなる。
【００１３】
送信電力制御（ＴＰＣ）ループは、専用チャネルに対して使用される。ＴＰＣループの目的は、干渉の絶対値が変動しても受信電力と干渉との比が一定に維持されるように、個々のユーザエンティティに対してダウンリンク電力を制御することである。それにより、ユーザへのダウンリンクデータについて所望の伝送品質が達成される。
【００１４】
ＴＰＣループは、ユーザエンティティから基地局へ１スロット（１スロットは０．６７ｍｓに対応する）毎に１度転送されるＴＰＣコマンドを使用する。ＴＰＣコマンドは、複数のステップで「電力を増加」又は「電力を低下」させてもよい。各コマンドに対する電力ステップの制御値は、通常１ｄＢである。これは、ＴＰＣループが送信電力を１スロットで最大１ｄＢ制御できることを意味する。他のソースからの干渉レベル及びチャネル品質の変化のために、基地局から送信された電力は、ある時間にわたり変動する。ＴＰＣループを利用することにより、個々の当該ユーザエンティティに対する干渉レベルが相対的に一定となる。
【発明の開示】
【発明が解決しようとする課題】
【００１５】
近年、新しいダウンリンクサービスである高速ダウンリンクパケットアクセス（ＨＳＤＰＡ）が３ＧＰＰにおいて導入された。T.E.Kolding他による「Performance Aspects of WCDMA Systems with High Speed Downlink Packet Access (HSPDA)」において、その動作原理が簡単に説明されている。
【００１６】
ＨＳＰＤＡ伝送は、２ｍｓの送信時間間隔（３タイムスロット）、ＱＰＳＫ及び１６ＱＡＭ変調等の適応変調符号化（ＡＭＣ）マルチモード伝送、高速物理層（Ｌ１）、ハイブリッド自動要求（Ｈ ＡＲＱ）を使用する。スケジューラは、無線ネットワーク制御器から基地局セット又はＢＳＳと呼ばれることもある、いわゆるノードＢへ転送される。図６において、種々のユーザエンティティＵＥに対するデータ伝送、アップリンク電力制御及びダウンリンク電力制御を示し、その概要を説明する。
【００１７】
図１は、ＨＳＰＤＡで利用される主なチャネルを示す。
【００１８】
ダウンリンク側において、いくつかの共通データチャネル１、ＨＳＰＤＡ伝送を使用する各ユーザに対する専用信号無線ベアラ２、並びにＨＳＰＤＡデータが臨機応変に割り当てられる制御信号用の共通チャネル３及び多数の共通ユーザデータチャネル４〜５が提供される。
【００１９】
アップリンク側において、特にチャネル品質情報ＣＱＩ及びＨＳＰＤＡ自動要求信号Ｈ ＡＲＱのための専用チャネル６、制御情報及びデータの双方を含む各ＨＳＰＤＡユーザに関連付けられたアップリンク専用チャネル７が提供される。
【００２０】
ＵＭＴＳ方式において高速ダウンリンクパケットアクセス（ＨＳＤＰＡ）を導入することにより、干渉レベルは徐々に変動しなくなる。ＨＳＤＰＡチャネルがデータ伝送を行なっていない状態から最大データ速度で伝送を行なう状態に変化すると、数ｄＢの大きな瞬時干渉が発生する。他の移動局は、高電力ＨＳＰＤＡ伝送の開始時に性能の低下を被ることとなる。この問題は、「フラッシュ効果問題」と呼ばれることが多い。
【００２１】
図２は、典型的なユーザエンティティに対するダウンリンク干渉レベルの一例を示す図である。ユーザエンティティは、あるレベルの熱雑音Ｎ＿ＴＨを被り、隣接するセルのダウンリンクチャネルからの干渉Ｉ＿ＡＤＪも被る。更に、特定のユーザエンティティが存在するセルの他のダウンリンクチャネルからの非ＨＳＰＤＡ干渉Ｉ＿ＮＯＮ＿ＨＳＰＤＡ＿ＣＥＬＬは、干渉レベルに影響を与える。非ＨＳＰＤＡ干渉のレベルは、最初の２つのソースと比較して、相当大きなレベルである場合が多い。最後に、未制御のＨＳＰＤＡ伝送からの干渉Ｉ＿ＨＳＰＤＡ＿ＣＥＬＬが示される。上述したように、これらの伝送においては、干渉が大きい可能性があり、また急激に変化する可能性もある。
【００２２】
図３において、ノードＢにおいて使用されるＨＳＰＤＡ電力に対応する図１のＨＳＰＤＡ伝送を更に示す図である。
【００２３】
図４は、未制御のＨＳＰＤＡ伝送に対する図２に示した干渉寄与分の合計量Ｄ＿ＰＷＲを示す図である。専用チャネルのある実際の電力はＡ＿ＰＷＲで示される。ＴＣＰが１ｄＢ／０．６７ｍｓの最大変化に対応するため、一般に用いられる信号対干渉レベルＳ／Ｉ＿１が、ＨＳＤＰＡが発生した干渉の上昇についての最小検出閾値以下へと減少してしまう可能性がある。
【課題を解決するための手段】
【００２４】
本発明の第１の目的は、パケットのスループットを最適化することで、少なくとも優先される専用チャネルへパケットデータ伝送が干渉となることを回避することである。
【００２５】
この目的は、請求項１記載の送信装置及び請求項７記載の方法により達成されうる。
【００２６】
本発明の別の目的は、送信装置がＨＳＰＤＡ伝送に関連する干渉を回避することである。
【００２７】
この目的は、請求項６により達成されうる。
【００２８】
更なる目的及び利点は、本発明の好適な実施形態の以下の詳細な説明から明らかとなるだろう。
【発明を実施するための最良の形態】
【００２９】
本発明の第１の実施形態によると、フラッシュ効果を防止するため、ＨＳＰＤＡ伝送に対して使用されるダウンリンクＣＤＭＡチャネルは、電力制御及びスケジュールの対象とされる。
【００３０】
上述したように、専用の非ＨＳＰＤＡチャネルのダウンリンク送信電力は、当該移動局の受信条件に依存する閉ループ（ＴＰＣ）制御に従って制御される。その制御によると、少なくとも許可された送信電力の増加レートは、所定の単位時間当たり第１の値へと制限される。ＣＤＭＡ方式において、端末は、単位時間当たり１ｄＢのダウンリンク送信電力、すなわち最大で１ｄＢ／０．６７ｍｓで増加又は減少を要求してもよい。
【００３１】
実際のシステムに依存して、別のレートが適切な場合もある。
【００３２】
高速パケットデータ伝送は、ＴＰＣループの点に関して制限されないという特性を有する。
【００３３】
ＨＳＤＰＡは、伝送されるべきデータ量及び使用されるべき送信電力をノードＢ（基地局）が決定するサービスである。伝送されるべきデータ量は、利用可能な送信電力の関数となる。新しいＨＳＤＰＡ送信が３スロット（＝２ｍｓ）毎に存在する。
【００３４】
ノードＢの機能には次のものがある。・エアインタフェース送信／受信  ・変調／復調  ・ＣＤＭＡ物理チャネル符号化  ・マクロダイバーシティ  ・エラー処理  ・閉ループ電力制御（ＴＰＣ）。
【００３５】
ＲＮＣの機能には以下のものがある。  ・無線リソース制御  ・許可制御  ・チャネル割当  ・電力制御設定  ・ハンドオーバ制御  ・マクロダイバーシティ  ・暗号化  ・セグメント化／再アセンブリ  ・ブロードキャスト信号  ・開ループ電力制御。
【００３６】
図５において、本発明による送信装置ＢＳＳの実施形態の一例が示される。送信装置は、多数の専用チャネル装置Ｄ＿ＵＮＩＴ、多数の対応する電力制御装置ＰＷＲ＿ＣＴＲＬ、加算段ＳＵＭ、共通チャネル装置Ｃ＿ＵＮＩＴを含む。共通チャネルデータＤＡＴＡ２（図１のチャネル１を参照）及び専用チャネルデータＤＡＴＡ３（図１のチャネル２を参照）は、加算段ＳＵＭにおいて加算され、電力増幅器段ＰＯＷＥＲ＿ＡＭＰに対して出力部Ｐ＿ＯＵＴでＤＡＴＡ２３として出力される。
【００３７】
本発明の一実施形態によると、共通装置Ｃ＿ＵＮＩＴ及び専用装置Ｄ＿ＵＮＩＴは、スケジュールされたデータＤＡＴＡ２及びＤＡＴＡ３をそれぞれ受信する。スケジュールされたデータＤＡＴＡ２及びＤＡＴＡ３は、他の標準的な装置又はノード（不図示）によりスケジュールされたものである。また、物理層チャネル符号化も実行される。実際のスケジューリングは、装置Ｃ＿ＵＮＩＴ及びＤ＿ＵＮＩＴにおいて実行されてもよい。
【００３８】
各専用チャネルに対する各電力制御装置ＰＷＲ＿ＣＴＲＬは、各閉ループ電力制御信号ＴＣＰ＿ＣＭＤに対して応答可能であり、各電力制御装置の下、少なくとも送信電力レートの変化は、単位時間当たり所定の値に制限される。
【００３９】
電力増幅器ＰＯＷＥＲ ＡＭＰは、第１のスケジュールされたデータ及び第２のスケジュールされたデータを増幅して出力する。従って、出力された第１のチャネル及び第２のチャネルは、相互に干渉を受けることになる。
【００４０】
各電力制御装置は、個々のユーザエンティティからの閉ループ電力要求コマンド（ＴＣＰ＿ＣＭＤ）に対して応答可能である。
【００４１】
加算段ＳＵＭは、信号ＤＡＴＡ２３の出力電力の電力レベルを示す信号Ｐ＿ＤＡＴＡ２３を報告する。信号Ｐ＿ＤＡＴＡ２３は、残電力決定段ＤＥＴ＿ＲＥＭに提供される。
【００４２】
出力電力Ｐ＿ＯＵＴは、規制上のレベルにより制限されるか、又は少なくとも電力増幅器の物理的な制限により制限される可能性がある。そのため、全伝送に対して利用可能な有限となる電力レベルのバジェットＰ＿ＯＵＴＭＡＸが存在する。音声及び制御信号に対応する機能があるため、専用チャネル及び共通チャネル、ＤＡＴＡ２及びＤＡＴＡ３の優先度は相対的に高い。そのため、信号Ｐ＿ＲＥＭは、Ｐ＿ＯＵＴＭＡＸ Ｐ＿ＤＡＴＡ２３と定義される。これは、共通チャネル及び専用チャネルのスケジューリング及び電力割当の後に利用可能である残電力を示している。この信号は、残電力決定段ＤＥＴ＿ＲＥＭから提供され、ＨＳＰＤＡスケジューラＨＳ＿ＳＣＨＤＲに配信される。
【００４３】
ＨＳＰＤＡスケジューラは、本発明により提供されるルーチンに従って、ＨＳＰＤＡデータＤＡＴＡ１を符号化し、スケジュールする。これにより、合計電力レベルがＰ＿ＨとなるチャネルＨＳ＿ＰＤＳＣＨ及びＨＳ＿ＳＣＣＨへとＨＳＰＤＡデータＤＡＴＡ１がスケジュールされる。
【００４４】
図７は、ＨＳＰＤＡスケジューラを示す図である。上述したように、スケジューリングインスタンス（時点）ｔにおける実際の電力レベルＰ＿Ｈ（ｔ）は、ＨＳＰＤＡ信号の送信電力に関連する。先行する時点における実際の電力レベルの値Ｐ＿Ｈ（ｔ−１）が取得されて格納される。
【００４５】
更に、スケジューラは、利用可能な電力レベルＰ＿ＡＶＢＬ（ｔ）を算出する。
【００４６】
図示された実施形態によると、チャネル符号化に対して利用可能な符号は、チャネル品質Ｑと共に外部ソースから提供されてもよい。
【００４７】
ある時点において利用可能なＨＳＰＤＡデータＤＡＴＡ１の量、利用可能な符号及びＨＳＰＤＡ伝送に対して指示された品質レベルに基づいて、スケジューラＨＳ＿ＳＣＨＤＲは、現在のスケジューリング時点においてＨＳＰＤＡ伝送に対する所望の電力を決定する。
【００４８】
図８を参照して、この決定に対する本発明によるルーチンを以下で更に詳細に説明する。
【００４９】
高速パケットデータの各スケジューリング区間に対して、送信装置ＢＳＳは、パケットデータスケジューラＨＳ＿ＳＣＨＤＲを動作させ、以下のステップを実行する。
【００５０】
１ 各スケジューリング区間ごとに
２ 専用装置及び共通装置は、共通チャネル及び専用チャネルに関連して、第１のスケジュールされたデータＤＡＴＡ２、ＤＡＴＡ３を受信する。
【００５１】
３ 送信装置は、装置ＤＥＴ＿ＲＥＭにより残電力Ｐ＿ＲＥＭ（ｔ）を決定する。
【００５２】
４ 可能な電力Ｐ＿ＰＯＳ（ｔ）で示される測定値は、先行する時点における実際の電力（Ｐ＿ＨＳ（ｔ−１））又は先行する時点において決定された可能な電力（Ｐ＿ＰＯＳ（ｔ−１））のうち、最大値から所定の値（ｄ）を減算して決定される。すなわち、P_POS(t) := MAX[P_H(t-1), P_POS(t-1)] - dである。
【００５３】
５ 許可電力Ｐ＿ＰＥＲＭ（ｔ）で示される測定値は、ある時点において、先行する時点の実際の電力（Ｐ＿ＨＳ（ｔ−１））に所定の値（ｄ）を加算した値又は決定された可能な電力（Ｐ＿ＰＯＳ（ｔ））のうちの最大値として決定される。すなわち、P_PERM(t) := MAX[P_H(t-1) + d, P_POS(t)]である。
【００５４】
６ 利用可能な電力（Ｐ＿ＡＶＢＬ（ｔ））は、許可電力又は残電力（Ｐ＿ＲＥＭ（ｔ））のうちの最小値として決定される。すなわち、P_AVBL(t) := MIN[P_PERM(t), P_REM(t)]である。
【００５５】
７ 最後に、スケジューラは、出力電力Ｐ＿Ｈ（ｔ）が、決定された利用可能な電力Ｐ＿ＡＶＢＬ（ｔ）以下となるように、利用可能な符号及びチャネル品質に従い、一般に用いられる到着してきた高速データの量に依存して高速パケットデータをスケジュールする。
【００５６】
ＨＳＰＤＡ伝送が開始された場合、Ｐ＿Ｈ（ｔ−１）＝０及びＰ＿ＰＯＳ（ｔ−１）＝０である。ＵＭＴＳ方式において、ＴＰＣステップが１ｄＢに設定される場合、値ｄは約３ｄＢの値に選択される。各スケジューリング時点は、ＴＴＩ＝２ｍｓの期間を有する。
【００５７】
尚、残電力を決定するステップは、ステップ６の前に随時行なわれる。
【００５８】
本発明の上述した実施形態によると、専用チャネルに対するＴＰＣループが電力の上昇に対処できるように、ＨＳＤＰＡチャネルに対して使用された電力が徐々に増加していくことにより、２つの連続するＨＳＤＰＡ送信信号間の電力差が制限される。２つのＨＳＤＰＡ送信信号に使用された送信電力の増加を規制することにより、干渉の増加が制限される。従って、専用チャネルの伝送は影響を受けない状態になる。更に、ＴＰＣ限定の専用チャネルの下降状態から利益を得るように、ＨＳＰＤＡの送信電力は、先行するＨＳＰＤＡ送信信号を送信した後の区間で制御され、それによりＨＳＰＤＡのスループットが向上する。
【００５９】
図８に示される本発明の別の実施形態によると、高速パケットデータＤＡＴＡ１の各スケジューリング区間に対して、送信装置ＢＳＳは、ステップ１〜５に従って高速パケットデータスケジューリングを実行し、利用可能な電力の代わりに許可電力Ｐ＿ＰＥＲＭ（ｔ）内となるように実際の電力Ｐ＿Ｈ（ｔ）を制御する。
【００６０】
本発明の機能性及び効果について、図９〜１３を参照して説明する。これらの図は、図８に示されるような制御方法を利用する到着してきたパケットデータＤＡＴＡ１のある仮想的な一例にすぎない。
【００６１】
スケジューリング時点ｔ＝Ａにおいて、ＨＳＰＤＡのパケットデータが完全に一定の電力レベルＨ（ｔ）で、ある時間にわたり伝送され、専用チャネルがＰ＿Ｈ（ｔ）で示されるＨＳＰＤＡレベルと均衡がとれた状態であると考えられる。
【００６２】
図９において、可能な電力Ｐ＿ＰＯＳ（ｔ）がステップ４に従って計算される。
【００６３】
図１０において、先行するスケジューリング時点において使用された電力レベルＰ＿Ｈ（ｔ−１）に定数ｄが加算されたものが示されている。
【００６４】
従って、ステップ５で定義されるＰ＿Ｐｅｒｍは、図１０のＰ＿Ｈ（ｔ−１）＋ｄ及び図９のＰ＿ＰＯＳ（ｔ）のうちの最大値であることが、図から分かるであろう。Ｐ＿ＰＥＲＭ（ｔ）が図１１に示されている。
【００６５】
図１２において、Ｐ＿ＲＥＭ（ｔ）及びＰ＿ＰＥＲＭ（ｔ）が示されている。図１３は、ステップ６で定義されるＰ＿ＡＶＢＬ（ｔ）を示す。
【００６６】
各スケジューリング区間に対して、スケジューラは、十分なＨＳＰＤＡデータがすぐに使用可能であるかによって、Ｐ＿ＡＶＢＬ（ｔ）により定義された電力レベル以下の電力レベルでデータをスケジュールする。
【００６７】
図１４において、ある入力データに対する別の例が示される。図１４において、使用されるＨＳＰＤＡ電力Ｐ＿Ｈ（ｔ）及び可能な電力Ｐ＿ＰＯＳ（ｔ）は、上述された方法が適用されたものであり、ある時間にわたり示されている。
【００６８】
図示されているように、測定値Ｐ＿ＰＯＳは、専用チャネルの電力ループが増加量に合致するような低い電力の立ち上がり期をＨＳＰＤＡ伝送が有するということに対応する。測定値Ｐ＿ＰＯＳは、ＨＳＰＤＡトラフィックの割込み後に相対的に高いレベルのＨＳＰＤＡ電力が使用されることも示されている。
【図面の簡単な説明】
【００６９】
【図１】図１は、ＨＳＰＤＡにおいて利用される主なチャネルを示す図である。
【図２】図２は、ユーザエンティティに対するダウンリンク干渉レベルの一例を示すグラフである。
【図３】図３は、使用されるＨＳＰＤＡ電力に対応する図１のＨＳＰＤＡ伝送を更に示すグラフである。
【図４】図４は、未制御ＨＳＰＤＡ伝送に対する図２の干渉の影響を開示するグラフである。
【図５】図５は、本発明による送信装置の実施形態の一例を開示する図である。
【図６】図６は、移動通信システムを示す図である。
【図７】図７は、本発明の好適な実施形態によるパケットデータスケジューラを開示する図である。
【図８】図８は、本発明による好適なルーチンを示すフローチャートである。
【図９】、
【図１０】、
【図１１】、
【図１２】、
【図１３】図９〜図１３は、入力パケットデータのある仮想上の例に対する本発明の機能性及び効果を示すグラフである。
【図１４】図１４は、ある入力データに対する本発明の別の例及び効果を示すグラフである。
【図１】
2007529133.tif 000003
【図２】
2007529133.tif 000004
【図３】
2007529133.tif 000005
【図４】
2007529133.tif 000006
【図５】
2007529133.tif 000007
【図６】
2007529133.tif 000008
【図７】
2007529133.tif 000009
【図８】
2007529133.tif 000010
【図９】
2007529133.tif 000011
【図１０】
2007529133.tif 000012
【図１１】
2007529133.tif 000013
【図１２】
2007529133.tif 000014
【図１３】
2007529133.tif 000015
【図１４】
2007529133.tif 000016
【手続補正書】
【提出日】平成18年11月27日(2006.11.27)
【手続補正１】
【補正対象書類名】特許請求の範囲
【補正対象項目名】請求項５
【補正方法】変更
【補正の内容】
【請求項５】
前記第１のチャネルと前記第２のチャネルとが符号分割多元接続（ＣＤＭＡ）の符号処理を用いて符号化されていることを特徴とする請求項１ないし４のいずれか１項に記載された送信装置。
【国際調査報告】
2007529133.tif 000017
2007529133.tif 000018